(57)【特許請求の範囲】
【請求項１】
圧縮機、室外熱交換器及び室外膨張弁を備えた室外ユニットと、室内熱交換器を備えた複数台の室内ユニットとがユニット間配管により接続され、前記室外熱交換器の一端が、圧縮機の冷媒吐出管と冷媒吸込管とに択一に分岐して接続され、前記ユニット間配管が、前記冷媒吐出管に接続された高圧ガス管と、前記冷媒吸込管に接続された低圧ガス管と、前記室外熱交換器の他端に接続された液管とを有して構成され、室内熱交換器の一端が前記高圧ガス管及び前記低圧ガス管に、それぞれ高圧ガス分岐管及び低圧ガス分岐管を介して接続され、他端が前記液管に液分岐管を介して接続され、前記高圧ガス分岐管及び前記低圧ガス分岐管にそれぞれ電磁開閉弁が設けられ、複数台の前記室内ユニットを同時に冷房運転若しくは暖房運転可能とし、または、これらの冷房運転と暖房運転を混在して実施可能とするよう構成された空気調和装置において、
前記高圧ガス分岐管に設けられた電磁開閉弁及び前記低圧ガス分岐管に設けられた電磁開閉弁は、許容する冷媒の流れが、高圧ガス管又は低圧ガス管側からの流れと、室内熱交換器側からの流れとで互いに逆方向になるように設けられ、これらの電磁開閉弁のそれぞれに、冷媒の逆圧が作用するときにそれぞれの電磁開閉弁をバイパスして冷媒を流すバイパス手段を設け、これらのバイパス手段は、それぞれの電磁開閉弁が許容する冷媒の流れと逆方向の流れを許容する逆止弁をそれぞれ備えていることを特徴とする空気調和装置。
【請求項２】
前記低圧ガス分岐管に設けられた電磁開閉弁、前記高圧ガス分岐管に設けられた電磁開閉弁及びこれら電磁開閉弁のそれぞれをバイパスする前記バイパス手段に設けられた逆止弁が単一の電磁弁ユニットに内蔵されていることを特徴とする請求項１記載の空気調和装置。
【請求項３】
空気調和装置における室内ユニットの室内熱交換器の一端が、圧縮機の冷媒吐出管に接続される高圧ガス管及び圧縮機の冷媒吸込管に接続される低圧ガス管に、それぞれ高圧ガス分岐管及び低圧ガス分岐管を介して接続され、前記高圧ガス分岐管に設けられる電磁開閉弁及び前記低圧ガス分岐管に設けられる電磁開閉弁を備えた空気調和装置に用いられる電磁弁ユニットにおいて、
前記高圧ガス分岐管に設けられた電磁開閉弁及び前記低圧ガス分岐管に設けられた電磁開閉弁は、許容する冷媒の流れが、高圧ガス管又は低圧ガス管側からの流れと、室内熱交換器側からの流れとで互いに逆方向になるように設けられ、これらの電磁開閉弁のそれぞれが、冷媒の逆圧が作用するときにそれぞれの電磁開閉弁をバイパスして冷媒を流すバイパス管に設けられる逆止弁を備え、これらの逆止弁は、それぞれの電磁開閉弁が許容する冷媒の流れと逆方向の流れを許容することを特徴とする空気調和装置に用いられる電磁弁ユニット。
【発明の詳細な説明】
【０００１】
【発明の属する技術分野】
本発明は室外ユニットと複数台の室内ユニットを有し、複数台の室内ユニットを同時に冷房運転若しくは暖房運転可能とし、または、これらの暖房運転と冷房運転を混在して実施可能とする空気調和装置及びこれに用いられる電磁弁ユニットに関する。
【０００２】
【従来の技術】
一般に、例えば図２に示すように、圧縮機２及び室外熱交換器３を備えた室外ユニットと、室内熱交換器６を備えた複数台の室内ユニットとがユニット間配管１０により接続され、室外熱交換器３の一端が、圧縮機２の冷媒吐出管７と冷媒吸込管８とに択一に分岐して接続され、ユニット間配管１０が、冷媒吐出管７に接続された高圧ガス管１１と、冷媒吸込管８に接続された低圧ガス管１２と、室外熱交換器３の他端に接続された液管１３とを有して構成され、室内熱交換器６の一端が高圧ガス管１１及び低圧ガス管１２に、それぞれ高圧ガス分岐管１４及び低圧ガス分岐管１５を介して接続され、他端が液管１３に液分岐管１９を介して接続され、高圧ガス分岐管１４及び低圧ガス分岐管１５には、それぞれ実線の矢印で示す方向にのみ冷媒を流すことを目的とする、電磁開閉弁１６、１７が設けられ、複数台の室内ユニットを同時に冷房運転若しくは暖房運転可能とし、または、これらの冷房運転と暖房運転を混在して実施可能とするよう構成された空気調和装置が知られている。
【０００３】
上記構成によると、いずれかの室内ユニットの運転を停止した場合には、この停止した室内ユニットの高圧ガス分岐管１４に設けられた電磁開閉弁１６と、低圧ガス分岐管１５に設けられた電磁開閉弁１７とが閉弁制御（無通電）される。このように電磁開閉弁１６、１７が閉弁制御（無通電）された状況下で、室外ユニットの運転が停止された場合、その圧縮機２の運転停止の直後から、圧力バランスが行われて、低圧ガス分岐管１５に設けられた電磁開閉弁１７又は高圧ガス分岐管１４に設けられた電磁開閉弁１６に逆圧による逆流が発生し、電磁開閉弁１６、１７のいずれかから異常音が発生することがあるので、室外ユニット及び室内ユニットの外部の高圧ガス管１１及び低圧ガス管１２に逆止弁４０、４１を設けることで電磁開閉弁１６、１７への逆流を防止している。尚、施工時に行われる冷媒配管接続後の気密試験では、例えば、高圧ガス管１１、低圧ガス管１２及び液管１３のそれぞれに設置されたサービスバルブ３１、３２、３３から冷媒回路内にガス（例えば窒素）を封入し、加圧してガスの漏れをチェックする。この気密試験は、通常、電磁開閉弁１６、１７等への無通電（閉弁）時に行われる。そして、気密試験終了後はこのサービスバルブ３５、３６、３７から封入したガスを引く。
【０００４】
【発明が解決しようとする課題】
しかしながら、従来の構成では、電磁開閉弁１６、１７の異常音の発生を抑制することはできるが、ガス（例えば窒素）を冷媒回路内に入れて行う気密試験において、低圧ガス管１２における逆止弁４１と低圧ガス分岐管１５における電磁開閉弁１７との間の冷媒配管Ｘ内には、逆止弁４１と電磁開閉弁１７によりガスの流入が塞き止められてガスが流入しないため、気密試験を十分に行うことができないという問題がある。
【０００５】
また、この気密試験後にこの気密試験に用いたガス（例えば窒素）を冷媒回路内から引くときに、高圧ガス管１１における逆止弁４０と高圧ガス分岐管１４における電磁開閉弁１６との間の冷媒配管Ｙ内には、逆止弁４０と電磁開閉弁１６によりガスが残留するという問題がある。
【０００６】
本発明の目的は、上述した従来技術が有する課題を解消し、電磁開閉弁からの異常音の発生を抑制しつつ、気密性の向上を図ることができ、気密試験に用いられるガスの残留を防止することができる空気調和装置及びこれに用いられる電磁弁ユニットを提供することにある。
【０００７】
【課題を解決するための手段】
請求項１記載の発明は、圧縮機、室外熱交換器及び室外膨張弁を備えた室外ユニットと、室内熱交換器を備えた複数台の室内ユニットとがユニット間配管により接続され、前記室外熱交換器の一端が、圧縮機の冷媒吐出管と冷媒吸込管とに択一に分岐して接続され、前記ユニット間配管が、前記冷媒吐出管に接続された高圧ガス管と、前記冷媒吸込管に接続された低圧ガス管と、前記室外熱交換器の他端に接続された液管とを有して構成され、室内熱交換器の一端が前記高圧ガス管及び前記低圧ガス管に、それぞれ高圧ガス分岐管及び低圧ガス分岐管を介して接続され、他端が前記液管に液分岐管を介して接続され、前記高圧ガス分岐管及び前記低圧ガス分岐管にそれぞれ電磁開閉弁が設けられ、複数台の前記室内ユニットを同時に冷房運転若しくは暖房運転可能とし、または、これらの冷房運転と暖房運転を混在して実施可能とするよう構成された空気調和装置において、前記高圧ガス分岐管に設けられた電磁開閉弁及び前記低圧ガス分岐管に設けられた電磁開閉弁は、許容する冷媒の流れが、高圧ガス管又は低圧ガス管側からの流れと、室内熱交換器側からの流れとで互いに逆方向になるように設けられ、これらの電磁開閉弁のそれぞれに、冷媒の逆圧が作用するときにそれぞれの電磁開閉弁をバイパスして冷媒を流すバイパス手段を設け、これらのバイパス手段は、それぞれの電磁開閉弁が許容する冷媒の流れと逆方向の流れを許容する逆止弁をそれぞれ備えていることを特徴とするものである。
【０００９】
請求項２記載の発明は、請求項１に記載の発明において、前記低圧ガス分岐管に設けられた電磁開閉弁、前記高圧ガス分岐管に設けられた電磁開閉弁及びこれら電磁開閉弁のそれぞれをバイパスする前記バイパス手段に設けられた逆止弁が単一の電磁弁ユニットに内蔵されていることを特徴とするものである。
【００１０】
請求項３記載の発明は、空気調和装置における室内ユニットの室内熱交換器の一端が、圧縮機の冷媒吐出管に接続される高圧ガス管及び圧縮機の冷媒吸込管に接続される低圧ガス管に、それぞれ高圧ガス分岐管及び低圧ガス分岐管を介して接続され、前記高圧ガス分岐管に設けられる電磁開閉弁及び前記低圧ガス分岐管に設けられる電磁開閉弁を備えた空気調和装置に用いられる電磁弁ユニットにおいて、前記高圧ガス分岐管に設けられた電磁開閉弁及び前記低圧ガス分岐管に設けられた電磁開閉弁は、許容する冷媒の流れが、高圧ガス管又は低圧ガス管側からの流れと、室内熱交換器側からの流れとで互いに逆方向になるように設けられ、これらの電磁開閉弁のそれぞれが、冷媒の逆圧が作用するときにそれぞれの電磁開閉弁をバイパスして冷媒を流すバイパス管に設けられる逆止弁を備え、これらの逆止弁は、それぞれの電磁開閉弁が許容する冷媒の流れと逆方向の流れを許容することを特徴とするものである。
【００１１】
【発明の実施の形態】
以下、本発明の実施の形態を、図面に基づき説明する。
【００１２】
図１は、本発明に係る空気調和装置の一実施の形態を示す冷媒回路図である。この空気調和装置３０は、圧縮機２、水冷式の室外熱交換器３及び室外膨張弁２７を備えた室外ユニット１と、室内熱交換器６ａ及び室内膨張弁１８ａを備えた室内ユニット５ａと、室内熱交換器６ｂ及び室内膨張弁１８ｂを備えた室内ユニット５ｂと、室内熱交換器６ｃ及び室内膨張弁１８ｃを備えた室内ユニット５ｃとを有して構成される。
【００１３】
そして、これらの室外ユニット１と室内ユニット５ａ、５ｂ、５ｃとがユニット間配管１０により接続されて、空気調和装置３０は、室内ユニット５ａ、５ｂ、５ｃを同時に冷房運転若しくは暖房運転可能とし、または、これらの冷房運転と暖房運転とを混在して実施可能とする。
【００１４】
上記室外ユニット１では、室外熱交換器３の一端が、圧縮機２の冷媒吐出管７と冷媒吸込管８とに、それぞれ切換弁９ａ、９ｂを介して択一に分岐して接続されている。また、冷媒吸込管８にアキュムレータ４が配設されている。
【００１５】
上記ユニット間配管１０は、高圧ガス管１１、低圧ガス管１２及び液管１３を備えてなる。高圧ガス管１１が冷媒吐出管７に接続され、低圧ガス管１２が冷媒吸込管８に接続される。液管１３は、室外膨張弁２７を介して室外熱交換器３の他端に接続される。
【００１６】
上記室内ユニット５ａ、５ｂ、５ｃのそれぞれの室内熱交換器６ａ、６ｂ、６ｃは、それらの他端が、室内膨張弁１８ａを配設した液分岐管１９ａ、室内膨張弁１８ｂを配設した液分岐管１９ｂ、室内膨張弁１８ｃを配設した液分岐管１９ｃを介して液管１３にそれぞれ接続される。
【００１７】
また、上記室内ユニット５ａの室内熱交換器６ａは、その一端が、高圧ガス分岐管１４ａを介して高圧ガス管１１に接続されるとともに、低圧ガス分岐管１５ａを介して低圧ガス管１２に接続される。上記室内ユニット５ｂの室内熱交換器６ｂは、その一端が、高圧ガス分岐管１４ｂを介して高圧ガス管１１に接続されるとともに、低圧ガス分岐管１５ｂを介して低圧ガス管１２に接続される。更に、上記室内ユニット５ｃの室内熱交換器６ｃは、その一端が、高圧ガス分岐管１４ｃを介して高圧ガス管１１に接続されるとともに、低圧ガス分岐管１５ｃを介して低圧ガス管１２に接続される。高圧ガス分岐管１４ａ、１４ｂ、１４ｃのそれぞれに、第１開閉弁（第１電磁開閉弁）１６ａ、１６ｂ、１６ｃが配設される。また、低圧ガス分岐管１５ａ、１５ｂ、１５ｃのそれぞれに、第２開閉弁（第２電磁開閉弁）１７ａ、１７ｂ、１７ｃが配設される。
【００１８】
高圧ガス分岐管１４ａ、１４ｂ、１４ｃには、第１開閉弁１６ａ、１６ｂ、１６ｃをバイパスする第１バイパス管２１ａ、２１ｂ、２１ｃが接続される。この第１バイパス管２１ａ、２１ｂ、２１ｃには、第１開閉弁１６ａ、１６ｂ、１６ｃに逆圧が作用する場合に第１バイパス管２１ａ、２１ｂ、２１ｃを冷媒が通過するように第１逆止弁２３ａ、２３ｂ、２３ｃが配設される。また、低圧ガス分岐管１５ａ、１５ｂ、１５ｃには、第２開閉弁１７ａ、１７ｂ、１７ｃをバイパスする第２バイパス管２２ａ、２２ｂ、２２ｃが接続される。この第２バイパス管２２ａ、２２ｂ、２２ｃには、第２開閉弁１７ａ、１７ｂ、１７ｃに逆圧が作用する場合に第２バイパス管２２ａ、２２ｂ、２２ｃを冷媒が通過するように第２逆止弁２４ａ、２４ｂ、２４ｃが配設される。尚、図１中の符号２０ａ、２０ｂ、２０ｃは電磁弁ユニットである。
【００１９】
これら第１開閉弁１６ａ、１６ｂ、１６ｃ、第２開閉弁１７ａ、１７ｂ、１７ｃ、第１逆止弁２３ａ、２３ｂ、２３ｃ及び第２逆止弁２４ａ、２４ｂ、２４ｃは、電磁弁ユニット２０ａ、２０ｂ、２０ｃに格納（内臓）されている。
【００２０】
また、高圧ガス管１１に接続された高圧ガス分岐管１４ａ、１４ｂ、１４ｃと、液管１３に接続された液分岐管１９ａ、１９ｂ、１９ｃとの間に、両管内の圧力差に従って両管内を連通させる連通手段（キャピラリーチューブ）１００ａ、１００ｂ、１００ｃが接続されている。これらキャピラリーチューブ１００ａ、１００ｂ、１００ｃは、電磁弁ユニット２０ａ、２０ｂ、２０ｃに格納（内臓）されている。
【００２１】
高圧ガス管１１、低圧ガス管１２及び液管１３のそれぞれには、サービスバルブ３１、３２、３３が設けてあり、気密試験を行う際は、このサービスバルブ３１、３２、３３から冷媒回路内にガス（例えば窒素）を封入し、加圧してガスの漏れをチェックする。そして、気密試験終了後はこのサービスバルブ３５、３６、３７から封入したガスを引く。
【００２２】
次に運転動作を説明する。
【００２３】
（Ａ）全室内ユニット５ａ、５ｂ、５ｃを同時に冷房する場合は、高圧ガス管１１が休止状態におかれる。
【００２４】
この場合、室外熱交換器３の一方の切換弁９ａを開くとともに他方の切換弁９ｂを閉じ、且つ電磁弁ユニット２０ａ、２０ｂ、２０ｃの第１開閉弁１６ａ、１６ｂ、１６ｃを閉じるとともに、第２開閉弁１７ａ、１７ｂ、１７ｃを開く。これにより、圧縮機２から吐出された冷媒は、冷媒吐出管７、切換弁９ａ、室外熱交換器３へと順次流れ、この室外熱交換器３で凝縮液化した後、液管１３と液分岐管１９ａ、１９ｂ、１９ｃを経て各室ユニット５ａ、５ｂ、５ｃの室内膨張弁１８ａ、１８ｂ、１８ｃに分配され、ここで減圧される。しかる後、冷媒は、各室内熱交換器６ａ、６ｂ、６ｃで蒸発気化した後、第２開閉弁１７ａ、１７ｂ、１７ｃを流れた後、低圧ガス管１２、冷媒吸込管８、アキュムレータ４を順次経て圧縮機２に吸入される。このように、蒸発器として作用する各室内熱交換器６ａ、６ｂ、６ｃで全室内ユニット５ａ、５ｂ、５ｃが同時に冷房される。
【００２５】
（Ｂ）全室内ユニット５ａ、５ｂ、５ｃを同時に暖房する場合は、低圧ガス管１２が休止状態におかれる。
【００２６】
この場合、室外熱交換器３の一方の切換弁９ａを閉じるとともに他方の切換弁９ｂを開き、且つ電磁弁ユニット２０ａ、２０ｂ、２０ｃの第１開閉弁１６ａ、１６ｂ、１６ｃを開くとともに、第２開閉弁１７ａ、１７ｂ、１７ｃを閉じる。これにより、圧縮機２から吐出された冷媒は、冷媒吐出管７、高圧ガス管１１を順次経て高圧ガス分岐管１４ａ、１４ｂ、１４ｃに分配された後、第１開閉弁１６ａ、１６ｂ、１６ｃ、室内熱交換器６ａ、６ｂ、６ｃへと流れ、ここでそれぞれ凝縮液化した後、各室内膨張弁１８ａ、１８ｂ、１８ｃで減圧され、液分岐管１９ａ、１９ｂ、１９ｃを経て液管１３で合流される。しかる後、室外熱交換器３で蒸発気化した後、切換弁９ｂ、冷媒吸込管８、アキュムレータ４を順次経て圧縮機２に吸入される。このように凝縮器として作用する各室内熱交換器６ａ、６ｂ、６ｃで、全室内ユニット５ａ、５ｂ、５ｃが同時に暖房される。
【００２７】
（Ｃ）同時に、例えば室内ユニット５ａ及び５ｃを冷房し、室内ユニット５ｂを暖房する場合は、全ての冷媒管１１、１２、１３が使用される。
【００２８】
この場合、室外熱交換器３の一方の切換弁９ａを開くとともに他方の切換弁９ｂを閉じ、且つ、冷房する室内ユニット５ａ、５ｃの電磁弁ユニット２０ａ、２０ｃにおける第１開閉弁１６ａ、１６ｃを閉じるとともに、第２開閉弁１７ａ、１７ｃを開き、且つ暖房する室内ユニット５ｂの電磁弁ユニット２０ｂにおける第１開閉弁１６ｂを開くとともに、第２開閉弁１７ｂを閉じる。すると、圧縮機２から吐出された冷媒の一部が冷媒吐出管７、切換弁９ａを順次経て室外熱交換器３に流れるとともに、残りの冷媒が高圧ガス管１１を経て暖房する室内ユニット５ｂの電磁弁ユニット２０ｂにおける第１開閉弁１６ｂ、室内熱交換器６ｂへと流れ、この室内熱交換器６ｂの室外熱交換器３で凝縮液化される。
【００２９】
そして、これら室内熱交換器６ｂ、室外熱交換器３で凝縮液化された冷媒は、液管１３を経て室内ユニット５ａ、５ｃの室内膨張弁１８ａ、１８ｃで減圧された後、それぞれの室内熱交換器６ａ、６ｃで蒸発気化される。しかる後、冷媒は、第２開閉弁１７ａ、１７ｃを流れて低圧ガス管１２で合流され、冷媒吸込管８、アキュムレータ４を順次経て圧縮機２に吸入される。このように、凝縮器として作用する室内熱交換器６ｂで室内ユニット５ｂが暖房され、蒸発器として作用する他の室内熱交換器６ａ、６ｃで室内ユニット５ａ、５ｃがそれぞれ冷房される。
【００３０】
次に、例えば、室内ユニット５ｂで冷房し、室内ユニット５ａ、５ｃで暖房する場合には、室外熱交換器３の一方の切換弁９ａを閉じるとともに他方の切換弁９ｂを開き、且つ冷房する室内ユニット５ｂの電磁弁ユニット２０ｂにおける第１開閉弁１６ｂを閉じるとともに、第２開閉弁１７ｂを開き、且つ暖房する室内ユニット５ａ、５ｃの電磁弁ユニット２０ａ、２０ｃにおける第１開閉弁１６ａ、１６ｃを開くとともに、第２開閉弁１７ａ、１７ｃを閉じる。すると、圧縮機２から吐出された冷媒が冷媒吐出管７、高圧ガス管１１を順次経て第１開閉弁１６ａ、１６ｃへと分配され、それぞれの室内熱交換器６ａ、６ｃで凝縮液化される。そして、この液化された冷媒は、それぞれ全開された室内膨張弁１８ａ、１８ｃを経て液管１３に流れる。この液管中の液冷媒の一部が、室内膨張弁１８ｂで減圧された後に室内熱交換器６ｂで、且つ、残りの液冷媒が室外膨張弁２７で減圧された後に室外熱交換器３でそれぞれ蒸発気化され、冷媒吸込管８、アキュムレータ４を順次経て圧縮機２に吸入される。このように、凝縮器として作用する室内熱交換器６ａ、６ｃで室内ユニット５ａ、５ｃが暖房され、蒸発器として作用する他の室内熱交換器６ｂで室内ユニット５ｂが冷房される。
【００３１】
以上の如く、冷房する室内ユニット５ａ、５ｂ、５ｃの数（冷房容量）が暖房する室内ユニット５ａ、５ｂ、５ｃの数（暖房容量）よりも多いときは室外熱交換器３を凝縮器として、逆に、冷房する室内ユニット５ａ、５ｂ、５ｃの数（暖房容量）が暖房する室内ユニット５ａ、５ｂ、５ｃの数（冷房容量）よりも少ないときは室外熱交換器３を蒸発器として作用させることにより、任意の室内ユニット５ａ、５ｂ、５ｃを自由に冷暖房することができる。
【００３２】
（Ｄ）本実施の形態では、（Ａ）〜（Ｃ）に示す運転状態において、室外ユニット１の運転が停止する場合（即ち、圧縮機２の運転が停止する場合）、室内ユニット１２ａ、１２ｂ、１２ｃの高圧ガス分岐管１４ａ、１４ｂ、１４ｃに設けられた第１開閉弁１６ａ、１６ｂ、１６ｃ及び低圧ガス分岐管１５ａ、１５ｂ、１５ｃに設けられた第２開閉弁１７ａ、１７ｂ、１７ｃが、図示を省略した制御手段によって、一斉に閉弁制御される。即ち、すべての電磁開閉弁が、無通電となって閉弁される。
【００３３】
このように電磁開閉弁が閉弁された状況下で、室外ユニット１の運転停止の直後（即ち圧縮機２の運転停止の直後）から、圧力バランスが行われて、高圧ガス分岐管１４ａ、１４ｂ、１４ｃに設けられた第１開閉弁１６ａ、１６ｂ、１６ｃあるいは低圧ガス分岐管１５ａ、１５ｂ、１５ｃに設けられた第２開閉弁１７ａ、１７ｂ、１７ｃに逆圧が発生する。即ち、この種の電磁開閉弁では、許容された冷媒の流れ方向に圧力がかかっている場合、電磁開閉弁が閉弁されていようが、開弁されていようが、いずれの場合も異常音は発生しない。しかし、許容された冷媒の流れとは逆の方向に圧力（逆圧）がかかって冷媒が逆流する場合、開弁されている電磁開閉弁に比べ、閉弁されている電磁開閉弁で大きな異常音が発生する。
【００３４】
本実施の形態では、第１開閉弁１６ａ、１６ｂ、１６ｃに逆圧が発生した場合、第１開閉弁１６ａ、１６ｂ、１６ｃに冷媒が逆流することなく、破線の矢印の方向に第１バイパス管２１ａ、２１ｂ、２１ｃ（第１逆止弁２３ａ、２３ｂ、２３ｃ）を通じて冷媒が均圧するまで逆流し、第２開閉弁１７ａ、１７ｂ、１７ｃに逆圧が発生した場合、第２開閉弁１７ａ、１７ｂ、１７ｃに冷媒が逆流することなく、破線の矢印の方向に第２バイパス管２２ａ、２２ｂ、２２ｃ（第２逆止弁２４ａ、２４ｂ、２４ｃ）を通じて冷媒が均圧するまで逆流する。尚、冷媒が均圧するまでの逆流は、均圧するまで一時的に流れるものであるので、第１バイパス管２１ａ、２１ｂ、２１ｃ及び第２バイパス管２２ａ、２２ｂ、２２ｃは、高圧ガス管１１及び低圧ガス管１２と比べて口径を小さくすることができる。従って、図２に示す従来の構成において高圧ガス管１１、低圧ガス管１２に配設される逆止弁４０、４１と比べて、逆止弁２３ａ、２３ｂ、２３ｃ、２４ａ、２４ｂ、２４ｃを小型化することができる。
【００３５】
以上、本実施の形態によれば、第１開閉弁１６ａ、１６ｂ、１６ｃあるいは第２開閉弁１７ａ、１７ｂ、１７ｃには、冷媒が逆流することがないので、電磁弁ユニット２０ａ、２０ｂ、２０ｃにおける電磁開閉弁の異常音の発生を抑制することができる。
【００３６】
また、本実施の形態によれば、電磁弁ユニット２０ａ、２０ｂ、２０ｃにおける電磁開閉弁に逆圧が生じる場合、自動的に第１バイパス管２１ａ、２１ｂ、２１ｃ（第１逆止弁２３ａ、２３ｂ、２３ｃ）あるいは第２バイパス管２２ａ、２２ｂ、２２ｃ（第２逆止弁２４ａ、２４ｂ、２４ｃ）を通じて冷媒が均圧するまで逆流するので、電磁開閉弁に逆圧が生じる場合を判断して行う電磁弁ユニット２０ａ、２０ｂ、２０ｃにおける電磁開閉弁の開閉制御をする必要がなくなる。
【００３７】
また、本実施の形態によれば、第１逆止弁２３ａ、２３ｂ、２３ｃ及び第２逆止弁２４ａ、２４ｂ、２４ｃが電磁弁ユニット２０ａ、２０ｂ、２０ｃに内蔵されているので、取り付けあるいは取り外しの作業の簡素化が図れる。
【００３８】
尚、従来の構成では、図２を参照して、電磁開閉弁１６、１７の異常音の発生を抑制すべく高圧ガス管１１及び低圧ガス管１２に逆止弁４０、４１を設置しているが、ガス（例えば窒素）を冷媒回路内に入れて行う気密試験において、低圧ガス管１２における逆止弁４１と低圧ガス分岐管１５における電磁開閉弁１７との間の冷媒配管Ｘ内には、逆止弁４１と電磁開閉弁１７によりガスの流入が塞き止められてガスが流入しないことがあり、また、この気密試験後にこの気密試験に用いたガス（例えば窒素）を冷媒回路内から引くときに、高圧ガス管１１における逆止弁４０と高圧ガス分岐管１４における電磁開閉弁１６との間の冷媒配管Ｙ内には、気密試験に用いたガスが逆止弁４０と電磁開閉弁１６により引けずに残ることがあった。
【００３９】
本実施の形態では、電磁弁ユニット２０ａ、２０ｂ、２０ｃにおける電磁開閉弁の異常音の発生を抑制すべく第１バイパス管２１ａ、２１ｂ、２１ｃ（第１逆止弁２３ａ、２３ｂ、２３ｃ）及び第２バイパス管２２ａ、２２ｂ、２２ｃ（第２逆止弁２４ａ、２４ｂ、２４ｃ）を設けたが、ガス（例えば窒素）を冷媒回路内に入れて行う気密試験において、室外ユニット１側から入れたガスは、第１バイパス管２１ａ、２１ｂ、２１ｃ（第１逆止弁２３ａ、２３ｂ、２３ｃ）、第２バイパス管２２ａ、２２ｂ、２２ｃ（第２逆止弁２４ａ、２４ｂ、２４ｃ）を通過することができるので、気密試験を行うことができる程度に冷媒回路内を均等に加圧することができる。これによって、気密試験によるガス漏れのチェックを十分に行うことができるので、冷媒回路の気密性を向上させることができる。また、気密試験後にこの気密試験に用いたガスは、第１バイパス管２１ａ、２１ｂ、２１ｃ（第１逆止弁２３ａ、２３ｂ、２３ｃ）、第２バイパス管２２ａ、２２ｂ、２２ｃ（第２逆止弁２４ａ、２４ｂ、２４ｃ）を通過することができるので、この気密試験に用いたガスを十分に引くことができる。これによって、気密試験に用いられるガスの残留を防止することができる。
【００４０】
以上、本発明を上記実施の形態に基づいて説明したが、本発明はこれに限定されるものではない。
【００４１】
【発明の効果】
本発明では、電磁開閉弁からの異常音の発生を抑制しつつ、気密性の向上を図ることができ、気密試験に用いられるガスの残留を防止することができる。
【図面の簡単な説明】
【図１】本発明に係る空気調和装置の一実施形態を示す冷媒回路図である。
【図２】従来の空気調和装置を示す冷媒回路図である。
【符号の説明】
１  室外ユニット
２  圧縮機
３  室外熱交換器
５ａ、５ｂ、５ｃ  室内ユニット
６ａ、６ｂ、６ｃ  室内熱交換器
７  冷媒吐出管
８  冷媒吸込管
１０  ユニット間配管
１１  高圧ガス管
１２  低圧ガス管
１３  液管
１４ａ、１４ｂ、１４ｃ  高圧ガス分岐管
１５ａ、１５ｂ、１５ｃ  低圧ガス分岐管
１６ａ、１６ｂ、１６ｃ  第１開閉弁（電磁開閉弁）
１７ａ、１７ｂ、１７ｃ  第２開閉弁（電磁開閉弁）
１９ａ、１９ｂ、１９ｃ  液分岐管
２０ａ、２０ｂ、２０ｃ  電磁弁ユニット
２１ａ、２１ｂ、２１ｃ  第１バイパス管（バイパス管）
２２ａ、２２ｂ、２２ｃ  第２バイパス管（バイパス管）
２３ａ、２３ｂ、２３ｃ  第１逆止弁（逆止弁）
２４ａ、２４ｂ、２４ｃ  第２逆止弁（逆止弁）
３０  空気調和装置
【図１】
0003935752.tif 000002
【図２】
0003935752.tif 000003